(57)【要約】【課題】右旋回円偏光フィルタと左旋回円偏光フィルタを介した観察において、図柄が明確に切り替わる識別媒体を提供する。【解決手段】観察する側からホログラム加工が施されたコレステリック液晶層１０１、λ／４板１０２、直線偏光フィルタ層１０３と積層した構造とする。コレステリック液晶層１０１からの選択反射光を透過する円偏光フィルタを介した観察において、円偏光層１０４の機能により、図柄印刷層１０５からの反射光が、観察されず、左右の円偏光フィルタを切り替えた際に観察される像が明確に切り替わる。
2011092922.tif 000002
【特許請求の範囲】
【請求項１】
第１の図柄を構成するホログラム加工が施され、特定の第１の旋回方向の円偏光を選択的に反射するコレステリック液晶層と、
前記コレステリック液晶層の観察面側と反対の面の側に配置され、前記コレステリック液晶層の側の面と反対の面から自然光を入射させた場合に、前記第１の旋回方向とは逆の第２の旋回方向の円偏光を前記コレステリック液晶層に向かって選択的に透過する円偏光層と
を備えることを特徴とする識別媒体。
【請求項２】
前記円偏光層は、観察する側から、λ／４板と直線偏光を選択的に透過する直線偏光フィルタとが順に積層された構造を有することを特徴とする識別媒体。
【請求項３】
前記円偏光層の前記コレステリック液晶層の側と反対側に第２の図柄が印刷された印刷層が配置されていることを特徴とする請求項１または２に記載の識別媒体。
【請求項４】
前記印刷層が金属反射層であることを特徴とする請求項３に記載の識別媒体。
【請求項５】
前記印刷層が、前記円偏光層への印刷により形成された層であることを特徴とする請求項３に記載の識別媒体。
【請求項６】
請求項１〜５のいずれか一項に記載の識別媒体を、
前記第１の旋回方向の円偏光を選択的に透過する第１の円偏光フィルタを介して観察するステップと、
前記第２の旋回方向の円偏光を選択的に透過する第２の円偏光フィルタを介して観察するステップと
を有することを特徴とする識別媒体の識別方法。
【発明の詳細な説明】
【技術分野】
【０００１】
本発明は、例えば、商品の真贋判定に利用される識別媒体およびその識別方法に関する。
【背景技術】
【０００２】
真贋判定に利用される識別媒体として、左右の円偏光フィルタを介した観察において、異なる像を観察できるようにすることで識別を行うものが知られている（例えば特許文献１を参照）。この技術では、光透過層、第１の図柄を構成する印刷層、コレステリック液晶層と積層され、コレステリック液晶層に型押加工によるホログラム図柄（第２の図柄）を形成した基本構造を有している。
【先行技術文献】
【特許文献】
【０００３】
【特許文献１】特開２００９−１７２７９８号公報
【発明の概要】
【発明が解決しようとする課題】
【０００４】
上記の基本構造の識別媒体において、仮に、コレステリック液晶層が右旋回円偏光を選択的に反射する特性であるとする。この際、左旋回円偏光を選択的に透過する円偏光フィルタ（左円偏光フィルタ）を当該識別媒体から離した位置とし、この円偏光フィルタを介して当該識別媒体を観察する場合を考える。この場合、コレステリック液晶層から右旋回円偏光が反射されるが、それは左旋回円偏光フィルタで遮断されるので観察されない。つまり、コレステリック液晶層に形成された第２の図柄は観察できない。【０００５】
一方、印刷層からの反射光には、ランダムな直線偏光成分が含まれるので、第１の図柄の反射光は、左旋回円偏光フィルタを透過し、観察される。つまりこの場合は、印刷層からの第１の図柄のみが選択的に見える。【０００６】
一方、右旋回円偏光を選択的に透過する円偏光フィルタ（右円偏光フィルタ）を介して当該識別媒体を観察すると、コレステリック液晶層からの右旋回円偏光の反射光が右円偏光フィルタを透過するので、第２の図柄が見える。また、それと同時に第１の図柄が薄く見える。【０００７】
ここで、第１の図柄が観察されるのは以下の理由による。この場合、コレステリック液晶層を透過するのは、特定波長の右旋回円偏光以外の成分であり、この透過成分には、あらゆる方向の直線偏光成分が含まれている。この直線偏光成分は印刷層で反射され、コレステリック液晶層を透過し、右旋回円偏光フィルタに入射する。ここで、右旋回円偏光フィルタは、直線偏光成分を一部透過するので、印刷層が薄く見えることになる。【０００８】
このように上記の技術では、左右の円偏光フィルタを利用した観察において、第１の図柄が共通に見える。一方、光学的な識別機能という点では、左右の円偏光フィルタの切り替えにより、図柄が明確に切り替わった方が好ましい。【０００９】
このような背景において、本発明は、右旋回円偏光フィルタと左旋回円偏光フィルタを介した観察において、図柄が明確に切り替わる識別媒体を提供することを目的とする。
【課題を解決するための手段】
【００１０】
請求項１に記載の発明は、第１の図柄を構成するホログラム加工が施され、特定の第１の旋回方向の円偏光を選択的に反射するコレステリック液晶層と、前記コレステリック液晶層の観察面側と反対の面の側に配置され、前記コレステリック液晶層の側の面と反対の面から自然光を入射させた場合に、前記第１の旋回方向とは逆の第２の旋回方向の円偏光を前記コレステリック液晶層に向かって選択的に透過する円偏光層とを備えることを特徴とする識別媒体である。【００１１】
ここで、選択的に透過というのは、入射光の内、対象となる偏光を透過し、他の偏光を遮断する（あるいは大きく減衰させる）光学フィルタ特性のこという。【００１２】
請求項２に記載の発明は、請求項１に記載の発明において、前記円偏光層は、観察する側から、λ／４板と直線偏光を選択的に透過する直線偏光フィルタとが順に積層された構造を有することを特徴とする。【００１３】
請求項１および請求項２に記載の発明によれば、コレステリック液晶層に非観察面側（裏側）から入射する光が円偏光とされ、更にその旋回方向が、コレステリック液晶が選択反射する旋回方向と逆方向とされる。このため、図柄印刷層や識別対象物の表面から反射し、コレステリック液晶層に非観察面側から入射する光が、当該コレステリック液晶層が選択反射しない旋回方向の円偏光となる。この円偏光は、当該コレステリック液晶層を透過する円偏光であるので、コレステリック液晶層を裏側から表側（非観察面側）に透過する。【００１４】
ここで、当該コレステリック液晶が選択反射する旋回方向と逆旋回方向の円偏光を透過する円偏光フィルタを介して当該識別媒体を観察した場合、コレステリック液晶層からの反射光が遮断され、逆に上記裏面側からの透過光が当該円偏光フィルタを透過し、観察者に届く。このため、コレステリック液晶層のホログラム像は見えず、図柄印刷層や識別対象物品表面等の下地の像が観察される。【００１５】
他方において、当該コレステリック液晶が選択反射する旋回方向の円偏光を透過する円偏光フィルタを介して当該識別媒体を観察した場合、上記コレステリック液晶層裏面側からの透過光は、当該円偏光フィルタで遮断され、観察者の目には届かない。この時、コレステリック液晶層からの反射光は、この円偏光フィルタを透過し、観察者の目に届く。したがって、ホログラム像は観察されるが、同時に下地の像が観察されることがない。【００１６】
以上の原理により、一方の旋回方向の円偏光フィルタを介して観察した場合に下地の像が選択的に観察され、他方の旋回方向の円偏光フィルタを介して観察した場合にコレステリック液晶層のホログラム像が選択的に観察される。このため、偏光フィルタの切り替えによる図柄の明確な切り替わりを観察することができ、高い識別性を得ることができる。【００１７】
請求項３に記載の発明は、請求項１または２に記載の発明において、前記円偏光層の前記コレステリック液晶層の側と反対側に第２の図柄が印刷された印刷層が配置されていることを特徴とする。請求項３に記載の発明によれば、印刷層の図柄によりコレステリック液晶層のホログラム像とは別の下地の像が構成される。【００１８】
請求項４に記載の発明は、請求項３に記載の発明において、前記印刷層が金属反射層であることを特徴とする。【００１９】
請求項５に記載の発明は、請求項３に記載の発明において、前記印刷層が、前記円偏光層への印刷により形成された層であることを特徴とする。【００２０】
請求項６に記載の発明は、請求項１〜５のいずれか一項に記載の識別媒体を、前記第１の旋回方向の円偏光を選択的に透過する第１の円偏光フィルタを介して観察するステップと、前記第２の旋回方向の円偏光を選択的に透過する第２の円偏光フィルタを介して観察するステップとを有することを特徴とする識別媒体の識別方法である。
【発明の効果】
【００２１】
請求項１および請求項２に記載の発明によれば、右旋回円偏光フィルタと左旋回円偏光フィルタを介した観察において、図柄が明確に切り替わる識別媒体が提供される。【００２２】
請求項３に記載の発明によれば、右旋回円偏光フィルタを介して観察した場合に選択的に視認される像と、左旋回円偏光フィルタを介して観察した場合に選択的に視認される像とを備え、対象物側の像を利用せずに識別を行える識別媒体が提供される。【００２３】
請求項４に記載の発明によれば、鮮明に観察できる金属反射光を利用した高い識別性機能が得られる。【００２４】
請求項５に記載の発明によれば、簡易な構造で本発明の効果が得られる識別媒体が提供される。【００２５】
請求項６に記載の発明によれば、本発明の識別媒体の観察方法が提供される。
【図面の簡単な説明】
【００２６】
【図１】実施形態の断面図である。
【図２】光学機能の原理を示す概念図である。
【図３】他の実施形態の断面図である。
【図４】実施形態の識別媒体の正面図（Ａ）、断面図（Ｂ）、分離した状態の断面図（Ｃ）である。
【図５】実施形態の識別媒体を構成する紙ラベル部の複数がセパレータに貼り付けられた状態を示す正面図（Ａ）と側面図（Ｂ）である。
【図６】実施形態の識別媒体を構成するホログラムラベル部の複数がセパレータに貼り付けられた状態を示す正面図（Ａ）と側面図（Ｂ）である。
【図７】実施形態の識別ラベル製造装置の概念図である。
【符号の説明】
【００２７】
１００…識別媒体、１０１…コレステリック液晶層、１０２…λ／４板、１０３…直線偏光フィルタ層、１０４…円偏光層、１０５…図柄印刷層、１０６…粘着層、７００…識別媒体、７０１…セパレータ（離型紙）、７０２…２次元コード表示、７０３…ホログラム表示、７０４…その他印刷表示、７１１…粘着層、７１２…基材紙、７１４…粘着層、７１５…直線偏光フィルタ層、７１６…λ／４板、７１７…円偏光フィルタ層、７１８…コレステリック液晶層、７１９…透明保護層、７２０…紙ラベル部、７２１…ロール、７３０…ホログラムラベル部、７３１…セパレータ、７３２…ロール、７５０…識別ラベル製造装置、７５１…ガイドロール、７５２…ガイドロール、７５３…印刷ヘッド、７５４…貼り付けローラー、７５５…巻き取りロール。
【発明を実施するための最良の形態】
【００２８】
１．第１の実施形態
（構成）
以下において、左旋回の円偏光を左円偏光、右旋回の円偏光を右円偏光、左円偏光を選択的に透過する光学フィルタを左円偏光フィルタ、右円偏光を選択的に透過する光学フィルタを右円偏光フィルタと呼ぶ。【００２９】
図１には、実施形態の識別媒体１００が示されている。識別媒体１００は、観察する側から、コレステリック液晶層１０１、λ／４板１０２、直線偏光フィルタ層１０３、図柄印刷層(反射層)１０５、粘着層１０６と積層された構造とされている。コレステリック液晶層１０１は、右円偏光で緑の波長の光を選択的に反射し、この条件以外の光を透過する設定とされている。なお、反射する旋回方向の限定は一例であり、左旋回であってもよい。また、反射する光の中心波長も緑に限定されず、識別に利用できる波長であれば、赤等の他の色も選択可能である。【００３０】
コレステリック液晶層１０１には、図示しないホログラム加工が施されている。ホログラム加工は、エンボス型を押し付けることで行われている。ホログラム加工は、エンボス模様により生じる反射光の干渉効果により、ホログラム像を形成する。このホログラム像は、コレステリック液晶層１０１からの反射光を観察することで認識される。【００３１】
λ／４板１０２は、透過する光にλ／４に相当する位相差を与える層で屈折率異方性を有する材料で構成されている。直線偏光フィルタ層１０３は、ある決められた方向の直線偏光を選択的に透過し、他の偏光状態の光を遮断する直線偏光フィルタの層である。この例では、λ／４板１０２と直線偏光フィルタ層１０３の積層体により、円偏光層１０４が構成されている。【００３２】
円偏光層１０４は、コレステリック液晶層１０１の観察面側（図の上側）と反対の面の側(図の下側)に配置され、コレステリック液晶層１０１の側と反対の側の面（図の下の面）から自然光を入射させた場合に、第１の旋回方向（この場合は、右円偏光）とは逆の第２の旋回方向（この場合は、左円偏光）の光をコレステリック液晶層１０１に向かって（図の上方向に向かって）選択的に透過する光学機能層の一例である。【００３３】
すなわち、円偏光層１０４は、図の下の方向から自然光を入射させた場合に、選択的に左円偏光をコレステリック液晶層１０１に向かって透過する機能を備えている。つまり、図柄印刷層１０５の側から自然光を入射させた場合に、円偏光層１０４からコレステリック液晶層１０１に向かって透過する光は、左円偏光が優先され、他の偏光成分が遮断される（あるいは大きく減衰される）光学特性とされている。【００３４】
具体的には、円偏光層１０４は、図側印刷層１０５の側から自然光を入射させると、コレステリック液晶層１０１の側に左円偏光を選択的に透過するように、λ／４板１０２と直線偏光フィルタ層１０３の光軸の向きの関係が設定されている。つまり、円偏光層１０４は、コレステリック液晶層１０１に向かう視線で見た場合に、左円偏光フィルタとなるように、λ／４板１０２と直線偏光フィルタ層１０３の光軸の向きの関係が設定されている。【００３５】
図柄印刷層１０５は、光透過性の樹脂フィルム上にインクによる印刷を施し、特定の図柄を形成した層である。図柄印刷層１０５は、図柄模様を図の上方向に反射する層として機能する。この層は、図柄をより鮮明にするため、印刷の一部または全面に蒸着などによる金属反射層を含んでも良い。粘着層１０６は、粘着材に黒や濃い色の色素を添加した層で、識別対象となる対象物に識別媒体１００を貼り付ける粘着機能と入射した可視光を吸収する光吸収層としての機能を有している。【００３６】
（製造方法）
まず、コレステリック液晶層１０１を図示しない配向基板上で成長させる。またこれとは別にλ／４板１０２、直線偏光フィルタ層１０３、図柄印刷層１０５を積層したものを用意する。そして、コレステリック液晶層１０１を上記配向基板から剥がし、図示省略されている偏光状態を乱さない材質の光透過性のフィルム（例えば、ＴＡＣ（トリアセチルセルロース）フィルム）に転移した後にホログラム加工を施す。その後、λ／４板１０２の露出面上に積層する。各層の固定は、光透過性の樹脂接着剤を用いて行う。最後に粘着層１０６を形成し、識別媒体１００を得る。【００３７】
なお、図示省略されているが、粘着層１０６の露出面側には、離型紙が貼り付けられる。識別媒体１００を識別対象物に貼り付ける際には、この離型紙を剥がし、粘着層１０６を対象物に接触させることで、識別媒体１００の識別対象物への貼り付けが行われる。【００３８】
（機能）
図２は、図１の識別媒体１００の光学機能の原理を示す概念図である。まず、左円偏光フィルタ１１０を識別媒体１００から離して配置し、左円偏光フィルタ１１０越しに識別媒体１００をコレステリック液晶層１０１の側から観察した場合を説明する。この場合、コレステリック液晶層１０１には、自然光が入射する。ここで、コレステリック液晶層１０１が右円偏光を選択的に反射し、他の偏光状態の光を透過する設定であるので、この自然光の内、特定波長の右円偏光以外の成分がコレステリック液晶層１０１を透過し、λ／４板１０２に入射する。そして、λ／４板１０２から直線偏光フィルタ層１０３に透過した特定の直線偏光成分が直線偏光フィルタ層１０３を透過し、図柄印刷層１０５に入射する。【００３９】
この入射光（直線偏光）は、図柄印刷層１０５において同じ偏光の状態で反射され、前とは逆の経路を辿って円偏光層１０４に図の下の方向から入射する。円偏光層１０４は、図の下方から光が入射した際に、図の上方に左円偏光を透過する設定とされているから、この入射光に対応する円偏光層１０４の透過光は左円偏光となり、コレステリック液晶層１０１を透過する。【００４０】
この場合、左円偏光フィルタ１１０を介しての観察であるから、上記コレステリック液晶層に図の下方から入射する左円偏光は、左円偏光フィルタ１１０を透過し、観察者に視認される。こうして、図柄印刷層１０５からの反射光が観察される。一方、コレステリック液晶層１０１からの反射光（右円偏光）は、左円偏光フィルタ１１０で遮断されるので、コレステリック液晶層１０１のホログラム像は観察できない。【００４１】
こうして、左円偏光フィルタ１１０越しに識別媒体１００を観察した場合、図柄印刷層１０５の図柄が見え、コレステリック液晶層１０１のホログラム像が見えない、選択的な像の見え方が得られる。【００４２】
次に、右円偏光フィルタ１１１を識別媒体１００から離して配置し、右円偏光フィルタ１１１越しに識別媒体１００をコレステリック液晶層１０１の側から観察した場合を説明する。この場合もコレステリック液晶層１０１には、自然光が入射する。ここで、コレステリック液晶層１０１が右円偏光を選択的に反射し、他の偏光状態の光を透過する設定であるので、この自然光の内、特定波長の右円偏光が反射され、それ以外の成分がコレステリック液晶層１０１を透過し、λ／４板１０２に入射する。【００４３】
コレステリック液晶層１０１からの右円偏光は、右円偏光フィルタ１１１を透過するので、観察者に視認される。一方、λ／４板１０２に入射したその他の偏光（特定波長の右円偏光以外の成分）は、λ／４板を透過し、その中の特定の直線偏光成分が直線偏光フィルタ層１０３から図柄印刷層１０５の側に透過する。【００４４】
この図柄印刷層１０５への入射光（直線偏光）は、図柄印刷層１０５において同じ偏光の状態で反射され、前とは逆の経路を辿って円偏光層１０４に図の下の方向から入射する。円偏光層１０４は、図の下方から光が入射した際に、図の上方に左円偏光を透過する設定とされているから、この入射光に対応する円偏光層１０４の透過光は、左円偏光となり、コレステリック液晶層１０１を透過する。【００４５】
この場合、右円偏光フィルタ１１１を介しての観察であるから、上記コレステリック液晶層に図の下方から入射し、そこを透過する左円偏光は、右円偏光フィルタ１１１を透過できず、観察者に届かない。こうして、コレステリック液晶層１０１に形成されたホログラム図柄のみが選択的に観察される。【００４６】
また、コレステリック液晶層１０１の選択反射特性は完全なものではなく、本来反射すべき右円偏光を一部透過する（透過光が漏れる）。この透過成分は、円偏光層１０４に入射する。ここで、円偏光層１０４は、左円偏光を図の上方から入射させた場合に、それを直線偏光として、図の下方に透過する設定とされているから、図の上方から右円偏光が入射した場合は、この入射光は、円偏光層１０４で遮断される。詳細にいうと、図の上方から右円偏光が円偏光層１０４に入射すると、λ／４板で直線偏光とされ、この直線偏光が直線偏光フィルタ層１０３で遮断される。このため、コレステリック液晶層１０１を漏れて透過した右円偏光成分に起因する光は、図柄印刷層１０５に到達できず、この漏れ光に起因する図柄印刷層１０５の反射光は得られない。【００４７】
こうして、右円偏光フィルタ１１１越しに識別媒体１００を観察した場合、図柄印刷層１０５の図柄が見えず、コレステリック液晶層１０１のホログラム像のみが見える選択的な像の見え方が得られる。【００４８】
以上説明したように、左円偏光フィルタ１１０越しに識別媒体１００を観察した場合に、図柄印刷層１０５に形成された図柄が選択的に見える。そして、右円偏光フィルタ１１０越しに識別媒体１００を観察した場合に、コレステリック液晶層１０１に形成された図柄が選択的に見える。つまり、用いる円偏光フィルタを切り替えることで、第１の像のみが視認される場合と第２の像のみが視認される場合とを切り替えることができる。なお、円偏光フィルタを用いずに直視した場合、両方の像（図柄）が同時に見える。【００４９】
（優位性）
上述したように、左右の円偏光フィルタを切り替えて識別媒体１００を観察した際に、図側印刷層が共通に見えてしまう問題が発生せず、図柄印刷層１０５の像とコレステリック液晶層１０１のホログラム像とを択一的に観察することができる。このため、明確な図側の切り替わりが観察できる識別媒体が提供される。また、コレステリック液晶層１０１のホログラム像を観察する際に、下地の図柄印刷層１０５が見えないので、図柄印刷像に幻惑されない明瞭なホログラム像を観察することができる。【００５０】
（比較例１）
以下、図２の例において、λ／４板１０２と直線偏光フィルタ層１０３を取り除いた場合における光学特性を説明する。この場合、左円偏光フィルタ１１１を用いた観察において、図柄印刷層１０５にランダムな方向の成分を有する直線偏光が入射し、その反射光がコレステリック液晶層１０１を図の下から上の方向に透過する。この光は、損失を受けながらも右円偏光フィルタ１１１を観察者側に透過し、観察される。このため、コレステリック液晶層１０１のホログラム像に加えて、薄く図柄印刷層１０５の図柄も同時に観察される。【００５１】
（比較例２）
以下、図２の例において、λ／４板１０２と直線偏光フィルタ層１０３の位置関係を入れ替えた場合（つまり、円偏光層の表裏を逆にした場合）における光学特性を説明する。この場合、左円偏光フィルタ１１０を用いた観察において、コレステリック液晶層１０１を透過したその他偏光は、直線偏光フィルタ層１０３とλ／４板１０２の積層構造に入射する。この積層構造を透過する光は、左円偏光となり、この左円偏光は、図柄印刷層１０５で反射される。この際、旋回方向が反転し、この反射光は右円偏光となる。【００５２】
この右円偏光は、λ／４板１０２に入射し、さらにその後、直線偏光フィルタ層１０３に入射するが、図２に示すように、λ／４板の側から円偏光層１０４に右円偏光が入射した場合、その光は、直線偏光フィルタ層１０３で遮断され、透過光は得られない。よって、この場合、図柄印刷層１０５からの反射光は、円偏光層１０４を透過せず視認されない。【００５３】
またこの際、左円偏光フィルタ１１０越しに識別媒体を観察しているので、コレステリック液晶層１０１からの反射光も観察できない。よって、左円偏光フィルタ１１０を用いた場合、コレステリック液晶１０１のホログラム像も図柄印刷層１０５の像も観察できず、図２に示す本実施形態の像の切り替わりを観察することはできない。つまり、本発明の光学機能は得られない。【００５４】
（その他）
図１に示す構成において、コレステリック液晶層１０１の光学特性として、左円偏光を選択的に反射する特性としてもよい。この場合、円偏光フィルタ層１０４は、図の下方から自然光を入射させた際に、右円偏光を選択的に透過するように設定する。【００５５】
図柄印刷層１０５を設ける代わりに、直線偏光層１０３の下面に印刷を行い、そこを図柄が形成された反射層として利用することもできる。この場合、構成が簡略化され、識別媒体１００の低コスト化および薄型化が図れる。【００５６】
図柄印刷層１０５は、像として認識される反射光が得られればよいので、インクの印刷による図柄の形成に限定されない。例えば、図柄印刷層１０５として金属反射パターンを設けた層を利用することもできる。この場合、金属反射パターンからの反射光による像が形成される。また、図柄反射層１０５を透明樹脂層とその下の金属反射層により構成し、透明樹脂層にホログラム加工を施し、ホログラム像が反射されるようにすることもできる。【００５７】
図３には、他の実施形態である識別媒体２００が示されている。識別媒体２００は、円偏光層１０４の下面（非観察面側）に粘着層２０１が設けられている。粘着層２０１は、透明な樹脂材料により構成されている。他の構成は、図１の識別媒体１００と同じである。【００５８】
識別媒体２００は、粘着層２０１の粘着力により識別対象物に貼り付けられた状態において、識別対象物の表面の図柄を利用して識別機能を発揮する。すなわち、図２に示す構成では、図１の図柄印刷層１０５の図柄に対応する図柄として、図示しない識別対象物の表面の図柄（勿論、模様等であってもよい）を利用する。この構成では、図柄印刷層を備えていないので、構成が簡略化される。【００５９】
また、図１に示す構成において、粘着層１０６を光透過性とし、図柄印刷層１０５からの反射像に加えて、識別対象物表面からの反射光に含まれる像を下地からの像として識別に利用する構成も可能である。【００６０】
以上説明した本発明の各種例示において、ホログラム像や図柄は、識別性が得られるものであればその内容は特に限定されず、図形、文字、数字、各種デザイン、模様等から適宜選択することができる。また、ホログラム像や図柄として、バーコードやカラーコードのようなコード表示、光学系で拡大することで読み取ることができる各種の表示を採用することも可能である。【００６１】
識別媒体１００が貼り付けられる物品としては、偽造品を見分ける（真贋の識別が）必要なものであれば、特に限定されない。このような物品の例としては、クレジットカード、パスポート、有価証券、各種製品のパッケージ、免許証、ＩＤカード、衣料品、製品に付けるタグ、小物、電子機器、各種の部品、工業製品、各種の消耗品等が挙げられる。【００６２】
図２には、本発明を利用した識別媒体から離した位置に観察用の光学フィルタ（円偏光フィルタ）を位置させ、識別のための観察を行う場合を説明したが、左円偏光フィルタ１１０や右円偏光フィルタ１１１を、識別媒体１００に接触させた状態で観察を行っても良い。この場合、メカニズムが異なるが、それぞれの円偏光フィルタ越しに見える識別媒体１００の見え方は、図２に関連して説明した場合と同じである。【００６３】
２．第２の実施形態
（構成）
図４（Ａ）には、実施形態の識別媒体７００を正面から見た状態が示されている。ここで、識別媒体７００は、セパレータ（離型紙）７０１上に貼り付けられた状態が示されている。識別媒体７００は、機械部品、電子部品、その他各種製品等（あるいはそのパッケージ）に貼り付けられて使用される。識別媒体７００は、２次元コード表示７０２、２次元コード表示７０２に重ねて設けられたホログラム表示７０３を備えている。２次元コード表示７０２は、第２の図柄の一例であり、例えば２次元バーコードである。２次元コード表示７０２には、例えば当該識別媒体が貼り付けられる対象物に係る各種の情報や当該対象物に関する情報を取得できるインターネットアドレス等の情報がコード化されて記憶されている。ホログラム表示７０３は、第１の図柄の一例であり、２次元コード表示７０２の読み取りに識別性を与える機能を有する。また、識別媒体７００は、例えば製品名、製造メーカ、ロット番号、その他情報が印刷表示されたその他印刷表示７０４を備えている。【００６４】
図４（Ｂ）には、識別媒体７００にセパレータ７０１を貼り付けた状態の断面構造が示されている。以下、識別媒体７００の断面構造について説明する。識別媒体７００は、基材紙７１２を基材としている。基材紙７１２の図の下面側には、粘着材料による粘着層７１１が設けられている。識別媒体７００を対象物に貼り付ける際には、セパレータ７０１を粘着層７１１から剥がし、露出した粘着層７１１を対象物に接触させることで、対象物に識別媒体７００を固定する。【００６５】
基材紙７１２の粘着層７１１が設けられた側と反対の側の面（図の上面）には、印刷により設けられた２次元コード表示７０２とその他印刷表示７０４を構成するインクの層が設けられている。２次元コード表示７０２の上には、光学的に透明な粘着層７１４が設けられ、その上には、直線偏光フィルタ層７１５と（λ／４）板７１６を積層した円偏光フィルタ層７１７が配置されている。【００６６】
円偏光フィルタ層７１７の上には、コレステリック液晶層７１８が設けられている。コレステリック液晶層７１８には、ホログラム表示７０３を行なうための型押加工が施されている。ここで、コレステリック液晶層７１８が選択反射する円偏光の旋回方向と、円偏光フィルタ層７１７を図の下から上に向けて透過する円偏光の旋回方向とが逆方向となるように設定されている。また、ホログラム表示７０３は、２次元コード表示７０２と重なる位置に形成されている。そして、コレステリック液晶層７１８の上には、ＴＡＣフィルム等により構成される透明保護層７１９が設けられている。【００６７】
（光学機能）
以下の説明において、コレステリック液晶層７１８が右円偏光を選択反射し、円偏光フィルタ層７１７を図の下から上に向けて左円偏光が選択的に透過する設定であるとする。また、識別媒体７００は、図４（Ｂ）の上の方向から観察するものとする。この場合、識別媒体７００を直視すると、２次元コード表示７０２、ホログラム表示７０３、その他印刷表示７０４が視認される。この場合、ホログラム表示７０３が障害となり、２次元コード表示７０２からのコードの読み取りは行えない。例えば、２次元コード表示７０２が２次元バーコードである場合、携帯電話のカメラやバーコードリーダを用いたコードの読み取りは行えない。【００６８】
ここで、左円偏光フィルタを介して識別媒体７００を観察すると、コレステリック液晶層７１８からの右円偏光の反射光は、左円偏光フィルタにより遮断されるので、観察できない。他方で、２次元コード表示７０２からの反射光に含まれる左円偏光は、円偏光フィルタ層７１７を図の下から上に向けて透過し、更にこの左円偏光の透過光は、コレステリック液晶層７１８とビューアである左円偏光フィルタを透過する。このため、左円偏光フィルタを介した観察において、２次元コード表示が選択的に明瞭に観察できる。当然、この状況で読取装置を利用した２次元コード表示７０２の光学的な読み取りが可能となる。【００６９】
また、右円偏光フィルタを介して識別媒体７００を観察すると、コレステリック液晶層７１８から選択反射される右円偏光は、右円偏光フィルタを透過するので、観察される。他方で、２次元コード表示７０２からの反射光は、左円偏光として右円偏光フィルタに入射するので、そこで遮断され、観察できない。つまり、右円偏光フィルタを介して識別媒体７００を観察すると、ホログラム表示７０３が選択的に視認される。また、この状態で識別媒体７００を傾け、見る角度を変化させると、コレステリック液晶層７１８のカラーシフトが観察され、その色合いの変化による識別機能が得られる。【００７０】
（製造方法）
図４（Ｃ）に示すように、セパレータ７０１に貼り付けられた識別媒体７００は、紙ラベル部７２０とホログラムラベル部７３０とで構成されている。この構成では、紙ラベル部７２０とホログラムラベル部７３０とを別に作り、粘着層７１４の粘着機能により、両者を合体させることで、識別媒体７００を得る。【００７１】
図５には、複数の紙ラベル部７２０がリボン状のセパレータ７０１に貼り付けられ、テープ状にされた状態が示されている。図５（Ａ）は、正面から見た様子であり、図５（Ｂ）は、ロール７２１に巻き取られた状態を示す側面図である。図６には、複数のホログラムラベル部７３０がリボン状のセパレータ７３１に貼り付けられ、テープ状にされた状態が示されている。図６（Ａ）は、正面から見た様子であり、図６（Ｂ）は、ロール７３２に巻き取られた状態を示す側面図である。【００７２】
例えば、セパレータ７３１からホログラムラベル部７３０を剥がし、それを紙ラベル部７２０のホログラム表示部７０２（図４（Ｃ）参照）に貼り付けることで、図４に示すセパレータ７０１に貼り付けられた状態の識別媒体７００が得られる。【００７３】
（製造装置）
図７には、図４に示すセパレータ７０１に識別媒体７００が貼り付けられた構成を有する識別ラベルを製造する識別ラベル製造装置の一例が示されている。図７には、識別ラベル製造装置７５０が示されている。識別ラベル製造装置７５０には、図５のロール７２１が装着されている。ロール７２１には、複数の紙ラベル部７２０（図４（Ｃ）参照）が貼り付けられたセパレータ７０１が巻き取られている。ここで、セパレータ７０１には、ミシン目が設けられており、後に簡単に分離が可能な構造とされている。複数の紙ラベル部７２０が貼り付けられたセパレータ７０１は、ロール７２１から巻き出され、ガイドロール７５１を経て、ガイドロール７５２に至る。ガイドロール７５２に対向して印刷手段である印刷ヘッド７５３が配置されており、紙ラベル部７２０に対する印刷が可能とされている。印刷ヘッド７５３において印刷可能な内容は、図４の２次元コード印刷７０２およびその他印刷表示７０４の一部または全部である。印刷ヘッド７５３としては、インクジェット方式のものを挙げることができる。【００７４】
他方で、識別ラベル製造装置７５０には、図６のロール７３２が装着されている。ロール７３２には、粘着層７１４の粘着力により、複数のホログラムラベル部７３０（図４（Ｃ）参照）が貼り付いたリボン状のセパレータ７３１が巻き取られている。上述したロール７２１からのセパレータ７０１の巻き出しに同期させて、ロール７３２からのセパレータ７３１の巻き出しが行なわれる。【００７５】
ロール７３２から巻き出されたホログラムラベル部７３０を有したセパレータ７３１は、対抗した一対のロールにより構成される貼り付けローラー７５４に送られ、そこでセパレータ７３１からホログラムラベル部７３０が剥がされて分離される。そして分離されたホログラムラベル部７３０の粘着層７１４は、紙ラベル部７２０の２次元コード印刷７０２およびその他印刷表示７０４が行われている面と接触する。この際、図４（Ｃ）に示すように、ホログラムラベル７３０の粘着層７１４が紙ラベル部７２０の２次元コード印刷７０２の部分に接触する。ここで、貼り付けローラー７５４から受ける圧力により、ホログラムラベル７３０が紙ラベル部７２０に貼り付けされる。なお、図４（Ｃ）には、図７のセパレータ７３１は図示されていない。この貼り付けは、粘着層７１４の粘着機能によって行われる。この際、粘着層７１４の材質に応じて熱や紫外光を照射し、粘着機能の発現を助長してもよい。ホログラムラベル７３０を紙ラベル部７２０側に貼り付けした後のセパレータ７３１は、巻き取りロール７５５に巻き取られる。【００７６】
こうして、貼り付けローラー７５４において、図４に示す識別媒体７００の複数が、セパレータ７０１に固定された状態が得られ、それが識別ラベル製造装置７５０の外部に出力される。ここで、セパレータ７０１には、個々の識別媒体７００をセパレータ７０１ごと切り離すことができるようにミシン目が入れられており、簡単な作業でセパレータ７０１に貼り付けられた状態のラベル状の識別媒体７００を得ることができる。【００７７】
図７に示す識別ラベル７００は、紙ラベル部７２０に対して、印刷ヘッド７５３においてリアルタイムに印刷を行いつつ、その印刷内容の読み取りに識別性を持たせるホログラムラベル部７３０を形成することができる。この作業は、識別対象となる製品の製造現場や流通現場（例えば、出荷のための包装を行なう現場）において可能である。例えば、製品の出荷が行なわれる施設内において、顧客ごとにカスタマイズされた多様な仕様の製品毎に対応する情報を印刷ヘッド７５３から２次元コード表示７０２として印刷し、その上に識別性を持たせるためのホログラム表示７０３を形成する作業が可能となる。
【産業上の利用可能性】
【００７８】
本発明は、真贋の識別を行うための技術に利用することができる。
【図１】
2011092922.tif 000003
【図２】
2011092922.tif 000004
【図３】
2011092922.tif 000005
【図４】
2011092922.tif 000006
【図５】
2011092922.tif 000007
【図６】
2011092922.tif 000008
【図７】
2011092922.tif 000009
【国際調査報告】
2011092922.tif 000010
2011092922.tif 000011
2011092922.tif 000012